(57)【特許請求の範囲】
【請求項１】
ネットワークを介してデータの通信を行い、第１の通信装置とデータの通信中に第２の通信装置からの通信開始要求を受けたとき、通信不可通知とともに前記第２の通信装置が再度の通信開始要求を行うまでの時間を指示するための再送信時間を前記第２の通信装置に送信し、前記第１の通信装置とのデータの通信が完了した後、前記再送信時間に基づく前記第２の通信装置からの再度の通信開始要求を受信する前に、第３の通信装置からの通信開始要求を受信したとき、前記第３の通信装置からのデータの受信を開始せず、前記第２の通信装置とのデータの通信を優先させる通信部と、
前記第１の通信装置とのデータの通信が完了した後、前記再送信時間に基づく前記第２の通信装置からの再度の通信開始要求を受信する前に、第３の通信装置からの通信開始要求を受信したとき、前記第３の通信装置との通信が前記第２の通信装置からの再度の通信開始要求を受信するまでの間に完了するか否かを判定する判定部を含み、
前記通信部は、前記判定部が完了すると判断したとき、前記第２の通信装置との通信の優先を例外的に解除して、前記第３の通信装置とのデータの通信を行い、前記判定部が完了できないと判断したとき、前記通信不可通知とともに前記再送信時間を前記第３の通信装置に送信することを特徴とする通信装置。
【請求項２】
前記通信開始要求を受信してからデータの受信を完了するまでの通信所要時間を履歴データとして記憶する通信記憶部を含み、
前記判定部は、前記通信記憶部に記憶された前記履歴データのうち、前記第３の通信装置の前記通信所要時間に基づき、前記第３の通信装置との通信が前記第２の通信装置からの再度の通信開始要求を受信するまでの間に完了するか否かを判定することを特徴とする請求項１に記載の通信装置。
【請求項３】
前記通信部が前記第３の通信装置から、前記第３の通信装置が送信しようとするデータのサイズを示す情報であるサイズ情報を受信したとき、
前記判定部は、前記第３の通信装置からの通信開始要求の受信から前記第３の通信装置からのデータの受信完了に要する時間を演算により求め、求めた時間に基づき、前記第３の通信装置との通信が前記第２の通信装置からの再度の通信開始要求を受信するまでの間に完了するか否かを判定することを特徴とする請求項１又は２に記載の通信装置。
【請求項４】
前記通信部は、前記第１、第２、第３の通信装置と、ＩＰネットワークを用いて通信を行い、
前記第１、第２、第３の通信装置は、ＩＰファクシミリ装置であり、
ファクシミリ通信で送受信されるファクシミリデータは、画像データであることを特徴とする請求項１乃至３の何れか１項に記載の通信装置。
【発明の詳細な説明】
【技術分野】
【０００１】
本発明は、ファクシミリ通信のようなデータの通信を行う通信装置に関する。
【背景技術】
【０００２】
例えば、ファクシミリ装置のような通信装置では、画像データの送受信が行われる。このようなデータの送受信では、まず、送信側が通信の開始要求を送信する。そして、受信側が通信の開始要求を受ける。一定の信号のやりとりを行って、通信路を確立した後、データの送受信が行われる。そして、通信の開始要求を受信したものの、他の通信装置と通信中であるなどの理由で、データの通信を開始できないとき、受信側の通信装置は、通信不可の通知を送信側の通信装置に返答する。通信不可の通知を受けたとき、送信側の通信装置は、待った後、受信側の通信装置に通信の開始要求を再送信することがある（リダイヤル、リトライ）。もし、再送信を行っても、再度、通信不可の返答が返ってくると、送信側の通信装置は、通信の開始要求を繰り返し送信することになる。
【０００３】
このようなリダイヤル（再発呼）の繰り返しを避けるための技術が、特許文献１に記載されている。具体的に、特許文献１には、サービス総合デジタル網に接続されたファクシミリ装置において、ビジィー状態中に着呼を受けた時、このビジィー状態が解除されるまでの時間を予測し、予測時間を、回線制御部を介して発呼側ファクシミリへ送出する解放完メッセージに設定する通信時間通知部を備えたファクシミリ装置が記載されている。この構成により、発呼側が被呼側との通信に入れるまでの再発呼の繰り返しの手間を省こうとする（特許文献１：請求項１、段落［００１２］等参照）。
【先行技術文献】
【特許文献】
【０００４】
【特許文献１】特開平０５−２５２３０５号公報
【発明の概要】
【発明が解決しようとする課題】
【０００５】
通信回線は、通信の開始要求の再送信や、それに対する通信不可の通知の返信のときにも使用されるので、リダイヤル（再度の通信の開始要求の発信）の繰り返しは、効率的な通信の点で好ましくない。また、上限回数のリダイヤルを行ってもデータの通信を完了できないとき、通信エラーとして処理される。通信エラーと処理されれば、データは未到達のままとなる。従って、リダイヤルの回数、間隔はできるだけ少なくすることが好ましい。
【０００６】
ここで、特許文献１に記載の技術は、予測時間を発呼側ファクシミリへ送出する。しかし、特許文献１に記載の技術では、予測時間に基づく発呼の前に他のファクシミリ装置の着信の割り込みがあると、割り込んだファクシミリ装置との通信が開始される。そうすると、予測時間に基づき再発呼しても通信中のため、データの通信を開始できず、再々度の発呼をしなくてはならない。そのため、特許文献１に記載の技術でも、リダイヤル（再発呼）の繰り返しが生じ得るという問題がある。
【０００７】
また、特許文献１記載の技術では、送信するデータ量Ａ（ｂｉｔ）とデータ通信速度Ｂ（ｂｐｓ）に基づき、通信が終了するまで時間を予測する（特許文献１：段落［００２０］参照）。そのため、予測時間が通知できるのは、自機が送信を行う場合に限られ、自機がデータを受信する場合は、予測時間を通知できない。そのため、特許文献１記載の技術では、予測時間を通知できない場合が頻繁に生ずる。予測時間を通知できない場合には、リダイヤル（再発呼）の繰り返しが頻繁に生じ得る。特に、引用文献１記載のファクシミリ装置が大きなサイズのデータを受信しているとき、ビジィー状態の通知を受けたファクシミリ装置は、何回もリダイヤルしなくてはならない。
【０００８】
このように、特許文献１記載の技術では、通信開始の要求の再送信（リダイヤル）の繰り返しを防ぐ点で不十分であり、リダイヤルが繰り返され、通信効率が大きく低下しかねないという問題がある。
【０００９】
本発明は、上記の問題点に鑑み、通信開始の要求の再送信（リダイヤル）を実行した通信装置との通信を優先して、リダイヤルの繰り返しを防ぐ。そして、通信の効率を高めることを課題とする。
【課題を解決するための手段】
【００１０】
上記課題解決のため請求項１に係る通信装置は、ネットワークを介してデータの通信を行い、第１の通信装置とデータの通信中に第２の通信装置からの通信開始要求を受けたとき、通信不可通知とともに前記第２の通信装置が再度の通信開始要求を行うまでの時間を指示するための再送信時間を前記第２の通信装置に送信し、前記第１の通信装置とのデータの通信が完了した後、前記再送信時間に基づく前記第２の通信装置からの再度の通信開始要求を受信する前に、第３の通信装置からの通信開始要求を受信したとき、前記第３の通信装置からのデータの受信を開始せず、前記第２の通信装置とのデータの通信を優先させる通信部を含むこととした。
【００１１】
また、上記課題解決のため、請求項１に係る通信装置は、前記第１の通信装置とのデータの通信が完了した後、前記再送信時間に基づく前記第２の通信装置からの再度の通信開始要求を受信する前に、第３の通信装置からの通信開始要求を受信したとき、前記第３の通信装置との通信が前記第２の通信装置からの再度の通信開始要求を受信するまでの間に完了するか否かを判定する判定部を含み、前記通信部は、前記判定部が完了すると判断したとき、前記第２の通信装置との通信の優先を例外的に解除して、前記第３の通信装置とのデータの通信を行い、前記判定部が完了できないと判断したとき、前記通信不可通知とともに前記再送信時間を前記第３の通信装置に送信する。
【発明の効果】
【００１２】
本発明によれば、特別な装置、機構を設けることなく、送信側のリダイヤルの繰り返しを防ぐことができる。そのため、高い効率でデータの通信が行われる画像形成装置を提供することができる。
【図面の簡単な説明】
【００１３】
【図１】通信システムを示す図である。
【図２】複合機の構造を示す図である。
【図３】複合機のハードウェア構成を示す図である。
【図４】通信装置に相当する部分を示す図である。
【図５】ＩＰファクシミリ装置の着信が競合したときの通信制御シーケンスを示す図である。
【図６】ＩＰファクシミリ装置の着信が競合したときの通信制御シーケンスを示す図である。
【図７】第３のＩＰファクシミリ装置との通信が第２のＩＰファクシミリ装置からの再度の通信開始要求を受信するまでの間に完了するか否かの判定を説明するための図である。
【図８】複合機と各ＩＰファクシミリ装置との通信での制御の流れを示すフローチャートである。
【発明を実施するための形態】
【００１４】
以下、本発明の実施形態を図１〜図８を用いて説明する。ここで、本説明では、本発明に係るデータの送受信を行う装置として、ファクシミリ通信機能を備えた通信装置１を例に挙げて説明する。具体的に、この通信装置１の一例として、複合機１００を例に挙げて説明する。但し、本実施の形態に記載される構成、配置等の各要素は、発明の範囲を限定するものではなく単なる説明例にすぎない。
【００１５】
（通信システム１０００の概要）
まず、図１を用いて、実施形態に係る複合機１００を含む通信システム１０００の概要を説明する。図１は、通信システム１０００を示す図である。
【００１６】
図１に示す通信システム１０００は、ＩＰネットワーク３００（ネットワークに相当）に接続される複合機１００（画像形成装置に相当）、第１のＩＰファクシミリ装置２０１（第１の通信装置に相当）、第２のＩＰファクシミリ装置２０２（第２の通信装置に相当）、第３のＩＰファクシミリ装置２０３（第３の通信装置に相当）などで構成される。尚、通信システム１０００は更に多くのＩＰファクシミリ装置を含めてもよいが、便宜上、以下の説明では、第１〜第３のＩＰファクシミリ装置２０３を例に挙げて説明する。
【００１７】
本実施形態の複合機１００は、印刷機能、送信機能、スキャン機能など複数の機能を併せ持つ。そして、本実施形態に係る複合機１００は、ＩＰネットワーク３００と通信可能に接続される。複合機１００は、ＩＰネットワーク３００を介して、ＩＰネットワーク３００に接続された各ＩＰファクシミリ装置とファクシミリ通信を行える。このように、複合機１００（通信装置１）は、ＩＰファクシミリ装置でもある。
【００１８】
また、各ＩＰファクシミリ装置は、本実施形態の複合機１００と同様、印刷機能、送信機能、スキャン機能など複数の機能を併せ持つものでもよい。また、各ＩＰファクシミリ装置はファクシミリ機能のみを有する専用機でもよい。そして、いずれかのＩＰファクシミリ装置は、複合機１００や他のＩＰファクシミリ装置とファクシミリ通信を行うことができる。ファクシミリ通信で送信されるファクシミリデータは、本実施形態の例では、画像データである。
【００１９】
尚、以下の説明では、通信を行う装置として、複合機１００、各ＩＰファクシミリ装置を、通信用のネットワークとしてＩＰネットワーク３００を例に挙げて説明する。しかし、データの通信を行う装置はＩＰファクシミリ装置に限られず、通信路はＩＰネットワーク３００に限られない。
【００２０】
（複合機１００の概要）
次に、図２を用いて、実施形態に係る複合機１００の概要を説明する。図２は、複合機１００の構造を示す図である。
【００２１】
図２に示すように、本実施形態の複合機１００は、前面に取り付けられた操作パネル２を有する。そして、複合機１００は上部に原稿搬送部３ａと画像読取部３ｂからなる読取部３を有する。又、複合機１００は、内部に、印刷部１０として、給紙部４ａ、搬送部４ｂ、画像形成部５ａ、定着部５ｂを含む。
【００２２】
まず、操作パネル２は、複合機１００の状態や各種メッセージや設定用画面を表示する表示部２１を備える。また、表示部２１に対し、タッチパネル部２２が設けられる。操作パネル２は、送信方法、送信先のアドレス、用紙のサイズ及び種類、原稿のサイズ及び種類のような送信や印刷の条件などの設定を受け付ける。
【００２３】
原稿を搬送して読み取るとき、原稿搬送部３ａは、原稿トレイに載置された原稿を１枚ずつ読取位置に向けて搬送する。画像読取部３ｂは、搬送される原稿や原稿台に載置された原稿を読み取り、原稿の画像データを生成する。
【００２４】
給紙部４ａは、複数枚の用紙を収容し、印刷のとき、用紙を送り出す。搬送部４ｂは、給紙部４ａから供給された用紙を排出トレイ４１まで搬送する。画像形成部５ａは、印刷する画像データに基づき、トナー像を形成し、用紙にトナー像を転写する。定着部５ｂは、トナー像が転写された用紙を加熱・加圧して、用紙にトナー像を定着させる。定着部５ｂを通過した用紙は、排出トレイ４１に排出される。これにより、１ページの印刷が完了する。
【００２５】
（複合機１００のハードウェア構成）
次に、図３に基づき、実施形態に係る複合機１００のハードウェア構成を説明する。図３は、複合機１００のハードウェア構成を示す図である。
【００２６】
図３に示すように、本実施形態に係る複合機１００は、主制御部６を含む。主制御部６は、複合機１００に含まれる各部を制御する。主制御部６は、ＣＰＵ６１や、印刷や送信（ファクシミリ通信を含む）に用いる画像データを生成する画像処理部６２や、その他の電子回路や素子を含む。ＣＰＵ６１は、記憶部６３に格納される制御プログラムや制御用データに基づき複合機１００の各部の制御や演算を行う。記憶部６３は、ＲＯＭ、フラッシュＲＯＭ、ＲＡＭ、ＨＤＤ等記憶装置の組み合わせで構成される。
【００２７】
そして、主制御部６は、用紙搬送やトナー像の形成や、転写、定着により印刷を行う印刷部１０（給紙部４ａ、搬送部４ｂ、画像形成部５ａ、定着部５ｂなど）や読取部３の動作を制御する。
【００２８】
又、主制御部６には、通信部１１が接続される。主制御部６は通信部１１の動作、通信処理を制御する。通信部１１は、パーソナルコンピューター４００やサーバーのようなコンピューター４００と通信を行うためのインターフェイスである。また、通信部１１は、ＩＰネットワーク３００を介し、各ＩＰファクシミリ装置とファクシミリ通信を行う。通信部１１は、ネットワークや接続ケーブルなどを介して通信を行う。
【００２９】
又、主制御部６は、操作パネル２の表示等の動作を制御する。又、主制御部６は、操作パネル２でなされた設定内容を認識しジョブの内容、設定及び実行指示を認識する。
【００３０】
通信部１１は、読取部３による原稿の読み取りに基づく画像データをコンピューター４００や各ＩＰファクシミリ装置に送信できる（送信機能）。各ＩＰファクシミリ装置に送信するとき（ファクシミリ通信の実行指示がなされたとき）、制御部は、操作パネル２で設定された形式のデータを生成する。そして、制御部は、操作パネル２で設定された送信先に生成したデータを通信部１１に送信させる。
【００３１】
また、通信部１１は、コンピューター４００から受信した印刷用データ（画像データや印刷設定を含む）や、各ＩＰファクシミリ装置からの画像データを受信する。そして、主制御部６は、受信した印刷用データや画像データに基づき印刷部１０に印刷を行わせる（プリンター機能、ファクシミリ受信機能）。
【００３２】
（通信装置１）
次に、図４を用いて、複合機１００に含まれる通信装置１に相当する部分を説明する。図４は、通信装置１に相当する部分を示す図である。
【００３３】
図３に示すように、複合機１００は、ＩＰネットワーク３００を介して相手型の各ＩＰファクシミリ装置と通信を行うための通信部１１を含む。
【００３４】
通信部１１は、通信制御部１１０（判定部に相当）、通信記憶部１１１、通信Ｉ／Ｆ部１１２などを含む。通信制御部１１０は、ＩＰネットワーク３００を介して受信した要求や応答やデータ送信など、主制御部６の指示に基づき、通信部１１の動作、処理を実際に制御する。通信制御部１１０は、制御用のＣＰＵや演算回路などを含む。
【００３５】
通信記憶部１１１は、通信用プログラムＤ１や通信用データＤ２を記憶する。通信制御部１１０は、通信記憶部１１１に記憶される通信用プログラムＤ１や通信用データＤ２に基づき、通信に関する処理を行う。また、通信記憶部１１１は、ファクシミリによって送信するデータのバッファとして用いることができる。
【００３６】
通信Ｉ／Ｆ部１１２は、信号処理回路や、ＩＰネットワーク３００と接続するためのケーブルなどが取り付けられるコネクタ、ソケットを含むインターフェイスである。
【００３７】
ファクシミリの送信を行うとき（複合機１００が発信元となって各ＩＰファクシミリ装置に向けてファクシミリ通信を行うとき）、主制御部６は、原稿の読取で得られた画像データなどに基づき、ファクシミリ送信する画像データを生成する。ファクシミリ送信する画像データは、記憶部６３に一時的に記憶される。また、主制御部６は、操作パネル２で設定された送信先（送信先アドレス）に、画像データの送信を通信制御部１１０に指示する。
【００３８】
通信制御部１１０は、操作パネル２で設定されたファクシミリの送信先アドレスに向け、通信開始要求を通信Ｉ／Ｆ部１１２から発信させる。続いて、通信制御部１１０は、相手型のＩＰファクシミリ装置との所定の通信手順を通信Ｉ／Ｆ部１１２に行わせる。相手型のＩＰファクシミリ装置から通信許可（着信許可）を受け、ファクシミリ装置とのセッションが確立すると、通信制御部１１０は、記憶部６３の画像データを順次、通信Ｉ／Ｆ部１１２から送信させる。
【００３９】
一方、ファクシミリの受信を行うとき（複合機１００が何れかのＩＰファクシミリ装置からファクシミリ通信を受信するとき）、通信制御部１１０は、相手型のＩＰファクシミリ装置と所定の通信手順を行う。そして、通信制御部１１０は、相手型のＩＰファクシミリ装置に通信許可を通信Ｉ／Ｆ部１１２から送信させ、相手型のファクシミリ装置とのセッションが確立させる。セッションが確立すると、通信制御部１１０は、ＩＰファクシミリ装置から送信された画像データを受信し、受信した画像データを順次、記憶部６３に転送する。受信された画像データは、いったん記憶部６３に記憶され印刷などに供される。
【００４０】
このように、複合機１００のうち、通信部１１、主制御部６、操作パネル２、記憶部６３などが通信装置１として機能する。言い換えると、複合機１００は通信装置１を含む。
【００４１】
（リダイヤルを行うＩＰファクシミリ装置の優先とその例外）
次に、図５〜図７を用いて、リダイヤルを行うＩＰファクシミリ装置の優先とその例外について説明する。図５、６は、ＩＰファクシミリ装置の着信が競合したときの通信制御シーケンスを示す図である。図７は、第３のＩＰファクシミリ装置２０３との通信が第２のＩＰファクシミリ装置２０２からの再度の通信開始要求を受信するまでの間に完了するか否かの判定を説明するための図である。
【００４２】
図５、６では、本実施形態に係る通信装置１を含む複合機１００（ＩＰファクシミリ装置でもある）を「複合機１００」として表示している。また、図５、６での「第１のＩＰファクシミリ装置２０１」は、通信シーケンス初期において、複合機１００と画像データ通信中のＩＰファクシミリ装置である。また、図５、６での「第２のＩＰファクシミリ装置２０２」、「第３のＩＰファクシミリ装置２０３」は、複合機１００に向けて画像データを送信しようとしているファクシミリ装置である。
【００４３】
図５、６では、複合機１００と第１のＩＰファクシミリ装置２０１が画像データの通信中であるとき、通信部１１（複合機１００）が第２のＩＰファクシミリ装置２０２からからのＩＮＶＩＴＥリクエストＲ１又はＲ５を受けた例を示している。なお、ＩＮＶＩＴＥリクエストは、通信開始要求であって、通話要求を行い、セッションを開始、確立するためのリクエストである。
【００４４】
データ通信中に通信開始要求を受けても、通信の開始を要求しているＩＰファクシミリ装置（本説明では、第２のＩＰファクシミリ装置２０２）とは通信を開始できない。
【００４５】
そこで、図５、６に示すように、複合機１００（通信部１１）は、データ通信中に、通信開始要求を送信してきた第２のＩＰファクシミリ装置２０２に、Ｂｕｓｙ  Ｈｅｒｅレスポンスを送信する。Ｂｕｓｙ  Ｈｅｒｅレスポンスは、通信不可通知であって、この通話を始めることができないということを送信元に知らせるためのレスポンスである。このとき、複合機１００は、Ｂｕｓｙ  Ｈｅｒｅレスポンス内のＲｅｔｒｙ−ａｆｔｅｒヘッダフィールドを用いて、自機が着信可能（有効）になると予測されるのはいつかを示す再送信時間Ｔ１を第２のＩＰファクシミリ装置２０２に送信する。
【００４６】
第２のＩＰファクシミリ装置２０２は、受信した通信不可通知内のＲｅｔｒｙ−ａｆｔｅｒヘッダフィールドに記された再送信時間Ｔ１を認識する。そして、第２のＩＰファクシミリ装置２０２は、通信不可通知を受信してから再送信時間Ｔ１待った後、再度、通信開始要求（ＩＮＶＩＴＥリクエストＲ３）を複合機１００に送信する（リダイヤル）。このように、再送信時間Ｔ１は、通信不可通知を受信したＩＰファクシミリ装置が再度の通信開始要求を行うまでの時間を指示する時間である。
【００４７】
ここで、本実施形態の複合機１００（通信部１１）は、再送信時間Ｔ１を指定して通信不可通知を送信したとき、通信不可通知を送信したＩＰファクシミリ装置からの再度の通信開始要求の着信（リダイヤル）を受けるまで、他のＩＰファクシミリ装置から通信開始要求があっても、他のＩＰファクシミリ装置とは画像データの通信を開始しない。言い換えると、複合機１００は、原則、リダイヤル待ちのＩＰファクシミリ装置との通信を優先する。
【００４８】
しかし、リダイヤルの着信待ちの空き時間に、画像データを着信できれば、画像データの送受信を効率良く行えると共に、リダイヤルの着信待ちの間に割り込んできたＩＰファクシミリ装置にリダイヤルさせずにすむ。
【００４９】
このように、ＩＰファクシミリ装置からの再度の通信開始要求が来るまでに、他のＩＰファクシミリ装置との通信が完了できれば、リダイヤルの繰り返しは生じない。言い換えると、リダイヤルが着信する時点で、データ通信中とならないようなサイズの画像データの送受信ならば、通信不可通知から再度の通信開始要求までの間での複合機１００と他のＩＰファクシミリ装置とのファクシミリ通信を許容してもよい場合がある。
【００５０】
そこで、本実施形態では、通信制御部１１０は、第１のＩＰファクシミリ装置２０１との画像データの通信が完了した後、再送信時間Ｔ１に基づく第２のＩＰファクシミリ装置２０２からの再度の通信開始要求を受信する前に、第３のＩＰファクシミリ装置２０３からの通信開始要求を受信したとき、第３のＩＰファクシミリ装置２０３との通信が第２のＩＰファクシミリ装置２０２からの再度の通信開始要求を受信するまでの間に完了するか否かを判定する。
【００５１】
尚、判定の処理を行うのは、通信制御部１１０に限られない。主制御部６や、他の判定処理用に設けられた他の回路が判定処理を行ってもよい。以下の説明では、通信制御部１１０が判定の処理を行うものとして説明する。
【００５２】
そして、完了すると判定されたとき、複合機１００（通信部１１）は、第２のＩＰファクシミリ装置２０２との画像データの通信の優先を例外的に解除して、第３のＩＰファクシミリ装置２０３との画像データの通信を行う。通信制御部１１０が第３のＩＰファクシミリ装置２０３からの画像データの受信完了できないと判断したとき、第２のＩＰファクシミリ装置２０２との通信を優先するため、複合機１００は、通信不可通知とともに再送信時間Ｔ１を第３のＩＰファクシミリ装置２０３に送信する。
【００５３】
このとき、通信制御部１１０は、第３のＩＰファクシミリ装置２０３との通信履歴に基づき、第３のＩＰファクシミリ装置２０３との通信が第２のＩＰファクシミリ装置２０２からの再度の通信開始要求を受信するまでの間に完了するか否か判定しても良い。具体的に、通信記憶部１１１は、各受信ジョブについて、送信元（各ＩＰファクシミリ装置）のアドレスを履歴データＤ０として記憶する。又、通信記憶部１１１は、各受信ジョブについて、アドレスに関連付けて、通信開始要求を受信してからデータの受信を完了するまでの通信所要時間Ｔ２を履歴データＤ０として記憶する。
【００５４】
第３のＩＰファクシミリ装置２０３は、１台に固定されているわけではなく（アドレスが決まっているわけではなく）、時と場合によって異なる。そこで、通信記憶部１１１は、ファクシミリ通信の受信があったとき、送信元のＩＰファクシミリ装置のアドレスごとに、それぞれのアドレスについて通信所要時間Ｔ２を履歴データＤ０として記憶する。
【００５５】
通信記憶部１１１は、１アドレスにつき、最新の受信での通信所要時間Ｔ２を履歴データＤ０として記憶するようにしてもよい（この場合、着信があるごと上書き）。また、通信記憶部１１１は、１つのアドレスについて、いままでの受信での通信所要時間Ｔ２の平均を履歴データＤ０として記憶するようにしもよい。
【００５６】
具体的に、通信制御部１１０による履歴データＤ０に基づく判定処理を説明する。まず、通信制御部１１０は、再送信時間Ｔ１と、再送信時間Ｔ１を付した通信不可通知を送信した時点を認識している。また、通信制御部１１０は、リダイヤルの待ち時間中に割り込んだ第３のＩＰファクシミリ装置２０３からの通信開始要求があった時点も認識している。
【００５７】
そして、通信制御部１１０は、リダイヤルの待ち時間中に通信開始要求を送信してきた第３のＩＰファクシミリ装置２０３に対応する通信所要時間Ｔ２を履歴データＤ０から抽出する。
【００５８】
そして、図７に示すように、通信制御部１１０は、第３のＩＰファクシミリ装置２０３からの通信開始要求があった時点ｔ３に、抽出した通信所要時間Ｔ２を加えた時点ｔ４が、再送信時間Ｔ１に基づき、第２のＩＰファクシミリ装置２０２が再度の通信開始要求（リダイヤル）を行う時点ｔ２（通話不可通知の時点ｔ１＋再送信時間Ｔ１）よりも手前であるか否かにより、判定する。
【００５９】
具体的に、図７に示すように、時点ｔ４が、時点ｔ２（第２のＩＰファクシミリ装置２０２が再度の通信開始要求（リダイヤル）を行う時点）よりも手前であれば、通信制御部１１０は、第３のＩＰファクシミリ装置２０３との通信が第２のＩＰファクシミリ装置２０２からの再度の通信開始要求を受信するまでの間に完了すると判定する（図７（ａ）の場合）。一方、時点ｔ４がリダイヤル時点ｔ２の同時点以降であれば、通信制御部１１０は、第３のＩＰファクシミリ装置２０３との通信が第２のＩＰファクシミリ装置２０２からの再度の通信開始要求を受信するまでの間に完了しないと判定する（図７（ｃ）の場合）。
【００６０】
尚、第３のＩＰファクシミリ装置２０３のアドレスが、初めて受信するアドレスであれば、通信記憶部１１１には、対応するアドレスの通信所要時間Ｔ２は記憶されていない。この場合は、通信制御部１１０は、予め定められ、通信記憶部１１１に記憶されるデフォルトの値を用いて判定を行ってもよいし、第３のＩＰファクシミリ装置２０３からの通信開始要求に対し、一律、再送信時間Ｔ１と通信不可通知を送信するようにしてもよい。
【００６１】
また、通信制御部１１０は、第３のＩＰファクシミリ装置２０３との通信が第２のＩＰファクシミリ装置２０２からの再度の通信開始要求を受信するまでの間に完了するか否かを、第３のＩＰファクシミリ装置２０３から受信したサイズ情報に基づいて判定してもよい。ここで、サイズ情報は、第３のＩＰファクシミリ装置２０３が送信しようとするデータのサイズを示す情報である。
【００６２】
尚、通信開始要求の時点で、第３のＩＰファクシミリ装置２０３がサイズ情報を送信するとは限らないので、通信開始要求の時点でサイズ情報が無ければ、履歴データＤ０に基づき、判定処理を行えばよい。また、サイズ情報による判定処理を行わず、履歴データＤ０だけを用いて判定処理を行ってもよい。
【００６３】
通信部１１がサイズ情報を受信したとき、通信制御部１１０は、第３のＩＰファクシミリ装置２０３からの通信開始要求の受信から第３のＩＰファクシミリ装置２０３からのデータの受信完了に要する時間を演算により求める。例えば、通信制御部１１０は、第３のＩＰファクシミリ装置２０３からの通信開始要求を受信したときの単位時間あたりのデータ転送速度（単位時間あたりのデータ受信量）を認識する。尚、相手との通信速度は、ネットワークの状態や、互いが用いている回線の種類により異なる。そして、通信制御部１１０は、サイズ情報に示されるデータサイズを求めたデータ転送速度で除して時間（転送所要時間Ｔ３）を求める。
【００６４】
そして、図７に示すように、通信制御部１１０は、第３のＩＰファクシミリ装置２０３からの通信開始要求があった時点ｔ３に、求めた転送所要時間Ｔ３を加えた時点ｔ５が、再送信時間Ｔ１に基づき、第２のＩＰファクシミリ装置２０２が再度の通信開始要求（リダイヤル）を行う時点ｔ２（通話不可通知の時点ｔ１＋再送信時間Ｔ１）よりも手前であるか否かにより、判定する。
【００６５】
具体的に、図７に示すように、時点ｔ５が時点ｔ２（第２のＩＰファクシミリ装置２０２が再度の通信開始要求（リダイヤル）を行う時点）よりも手前であれば、通信制御部１１０は、第３のＩＰファクシミリ装置２０３との通信が第２のＩＰファクシミリ装置２０２からの再度の通信開始要求を受信するまでの間に完了すると判定する（図７（ｂ）の場合）。一方、時点ｔ５がリダイヤル時点ｔ２の同時点以降であるとき、通信制御部１１０は、第３のＩＰファクシミリ装置２０３との通信が第２のＩＰファクシミリ装置２０２からの再度の通信開始要求を受信するまでの間に完了しないと判定する（図７（ｄ）の場合）。
【００６６】
そして、図５を用いて、通信制御部１１０が第３のＩＰファクシミリ装置２０３との通信が第２のＩＰファクシミリ装置２０２からの再度の通信開始要求を受信するまでの間に完了しないと判断した場合の通信制御を具体的に説明する。
【００６７】
図５の例では、複合機１００（通信部１１）は、第１のＩＰファクシミリ装置２０１とデータの通信中に第２のＩＰファクシミリ装置２０２からのＩＮＶＩＴＥリクエスト（通信開始要求）Ｒ１を受けている。そして、複合機１００は、Ｂｕｓｙ  Ｈｅｒｅレスポンス（通信不可通知）とともに再送信時間Ｔ１を第２のＩＰファクシミリ装置２０２に送信する。
【００６８】
また、図５の例では、第１のＩＰファクシミリ装置２０１との画像データの通信が完了した後、再送信時間Ｔ１に基づく第２のＩＰファクシミリ装置２０２からの再度のＩＮＶＩＴＥリクエストＲ３を受信する前に（リダイヤルの待ち時間中に）、複合機１００は、第３のＩＰファクシミリ装置２０３からのＩＮＶＩＴＥリクエストＲ２を受信している。
【００６９】
このとき、複合機１００は、第３のＩＰファクシミリ装置２０３からの画像データの受信を開始せず、第２のＩＰファクシミリ装置２０２とのデータの通信を優先させる。具体的には、複合機１００は、第３のＩＰファクシミリ装置２０３に対し、Ｂｕｓｙ  Ｈｅｒｅレスポンスを送信する。複合機１００は、実際にはデータ通信中ではないが、第２のＩＰファクシミリ装置２０２との通信を優先するため、第３のＩＰファクシミリ装置２０３との通信を後回しにする。
【００７０】
尚、本説明では、再送信時間Ｔ１の間（リダイヤルまでの間）に割り込んだ第３のＩＰファクシミリ装置２０３にＢｕｓｙ  Ｈｅｒｅレスポンスを送信する例を説明するが、再送信時間Ｔ１を指定してＴｅｍｐｏｒａｒｉｌｙ  Ｕｎａｖａｉｌａｂｌｅレスポンスのように、他種のレスポンスを返すようにしてもよい。
【００７１】
図５に示すように、複合機１００は、リダイヤルを行う第２のＩＰファクシミリ装置２０２との通信を優先する。そのため、第２のＩＰファクシミリ装置２０２からの再度のＩＮＶＩＴＥリクエストＲ３を受信すると、複合機１００は、ＩＮＶＩＴＥリクエストＲ３に対する応答として、１８０  Ｒｉｎｇｉｎｇ（受信側で呼び出し中であることを知らせるためのレスポンス）と、ＯＫレスポンス（通話を受け付けたことを知らせるためのレスポンス）を第２のＩＰファクシミリ装置２０２に送信する。
【００７２】
そして、第２のＩＰファクシミリ装置２０２がＯＫレスポンスに対してＡＣＫを返すことにより、複合機１００と第２のＩＰファクシミリ装置２０２とのセッションが確立される。セッションが確立されると、ＴＣＰやＵＤＰに基づき、画像データが第２のＩＰファクシミリ装置２０２から複合機１００に向けて送信される。
【００７３】
画像データの送信が完了すると、複合機１００（通信部１１）は、ＢＹＥリクエストを第２のＩＰファクシミリ装置２０２に送信する。ＢＹＥリクエストに対し、第２のＩＰファクシミリ装置２０２がＯＫのレスポンスを複合機１００の通信部１１に返信する。これにより、複合機１００と第２のＩＰファクシミリ装置２０２間の画像データの通信が完了する（セッション完了）。
【００７４】
このように、本実施形態の複合機１００は、第２のＩＰファクシミリ装置２０２との通信を優先する。そのため、複合機１００は、第３のＩＰファクシミリ装置２０３からの再度のＩＮＶＩＴＥリクエストＲ４を受信する。第２のＩＰファクシミリ装置２０２と複合機１００間のファクシミリ通信が完了してから、第３のＩＰファクシミリ装置２０３が再度のＩＮＶＩＴＥリクエストＲ４（リダイヤル）を送信するように、複合機１００は、第３のＩＰファクシミリ装置２０３へのＢｕｓｙ  Ｈｅｒｅレスポンス内のＲｅｔｒｙ−ａｆｔｅｒヘッダフィールドに十分に長い再送信時間Ｔ１を記す。
【００７５】
次に、図６を用いて、通信制御部１１０第３がＩＰファクシミリ装置との通信が第２のＩＰファクシミリ装置２０２からの再度の通信開始要求を受信するまでの間に完了すると判断した場合の通信制御を具体的に説明する。
【００７６】
図６の例では、複合機１００（通信部１１）は、第１のＩＰファクシミリ装置２０１とデータの通信中に第２のＩＰファクシミリ装置２０２からのＩＮＶＩＴＥリクエストＲ５（通信開始要求）を受けている。そして、複合機１００は、Ｂｕｓｙ  Ｈｅｒｅレスポンス（通信不可通知）とともに再送信時間Ｔ１を第２のＩＰファクシミリ装置２０２に送信する。
【００７７】
また、図６の例では、第１のＩＰファクシミリ装置２０１との画像データの通信が完了した後、再送信時間Ｔ１に基づく第２のＩＰファクシミリ装置２０２からの再度のＩＮＶＩＴＥリクエストＲ７を受信する前に（リダイヤルの待ち時間中に）、複合機１００は、第３のＩＰファクシミリ装置２０３からのＩＮＶＩＴＥリクエストＲ６を受信している。
【００７８】
このとき、通信部１１の通信制御部１１０は、第２のＩＰファクシミリ装置２０２からのリダイヤルの受信の前に、第３のＩＰファクシミリ装置２０３とのデータ通信を完了できると判定している。そこで、複合機１００は、例外的に、第３のＩＰファクシミリ装置２０３からの画像データの受信を開始する。
【００７９】
この場合、第３のＩＰファクシミリ装置２０３からの再度のＩＮＶＩＴＥリクエストＲ６を受信すると、複合機１００は、ＩＮＶＩＴＥリクエストＲ６に対する応答として、１８０  Ｒｉｎｇｉｎｇ（受信側で呼び出し中であることを知らせるためのレスポンス）と、ＯＫレスポンス（通話を受け付けたことを知らせるためのレスポンス）を第３のＩＰファクシミリ装置２０３に送信する。
【００８０】
そして、第３のＩＰファクシミリ装置２０３がＯＫレスポンスに対してＡＣＫを返すことにより、複合機１００と第３のＩＰファクシミリ装置２０３とのセッションが確立される。セッションが確立されると、画像データが第３のＩＰファクシミリ装置２０３から複合機１００に向けて送信される。
【００８１】
そして、履歴やサイズ情報に基づく判定どおりに、複合機１００と第３のＩＰファクシミリ装置２０３とのデータ通信が短時間で完了する。そして、複合機１００は、ＢＹＥリクエストを第３のＩＰファクシミリ装置２０３に送信し、ＢＹＥリクエストに対し、第３のＩＰファクシミリ装置２０３がＯＫのレスポンスを返信する。これにより、第２のＩＰファクシミリ装置２０２からの再度のＩＮＶＩＴＥリクエストＲ７の前に、複合機１００と第３のＩＰファクシミリ装置２０３間の画像データの通信が完了する（セッション完了）。
【００８２】
（ファクシミリ通信の制御の流れ）
次に、図８を用いて、本実施形態の複合機１００と各ＩＰファクシミリ装置との通信での制御の流れを説明する。図８は、複合機１００と各ＩＰファクシミリ装置との通信での制御の流れを示すフローチャートである。
【００８３】
まず、図８のスタートは、通信部１１（複合機１００）が第１のＩＰファクシミリ装置２０１とデータ通信中に、第２のＩＰファクシミリ装置２０２から通信開始要求（ＩＮＶＩＴＥリクエスト）を受信した時点である。
【００８４】
まず、通信部１１は、第２のＩＰファクシミリ装置２０２に、再送信時間Ｔ１をＲｅｔｒｙ−ａｆｔｅｒヘッダフィールドに付して、通信不可通知（Ｂｕｓｙ  Ｈｅｒｅレスポンス）を送信する（ステップ♯１）。
【００８５】
そして、通信部１１の通信記憶部１１１は、第２のＩＰファクシミリ装置２０２の宛先（アドレス）を記憶する（ステップ♯２）。続いて、通信部１１は、第１のＩＰファクシミリ装置２０１との画像データの通信を完了する（ステップ♯３）
【００８６】
そして、通信部１１は、第２のＩＰファクシミリ装置２０２以外のＩＰファクシミリ装置との画像データの通信を行わないモード（リダイヤル優先モード）に移行する（ステップ♯４）。続いて、通信部１１は、第２のＩＰファクシミリ装置２０２からの再度の通信開始要求（ＩＮＶＩＴＥリクエスト、リダイヤル）を受信したか否かを確認する（ステップ♯５）。
【００８７】
もし、第２のＩＰファクシミリ装置２０２からのリダイヤルを受信したとき（ステップ♯５のＹｅｓ）、通信部１１は、第２のＩＰファクシミリ装置２０２とセッションを確立し、第２のＩＰファクシミリ装置２０２からの画像データを受信する（ステップ♯６）。そして、通信部１１と第２のＩＰファクシミリ装置２０２とのファクシミリ通信の完了により、本フローは終了する（エンド）
【００８８】
一方、第２のＩＰファクシミリ装置２０２からのリダイヤルを受信していないとき（ステップ♯５のＮｏ）、通信部１１は、第３のＩＰファクシミリ装置２０３からの通信開始要求を受信したか否かを確認する（ステップ♯７）。
【００８９】
第３のＩＰファクシミリ装置２０３からの通信開始要求を受信していないとき（ステップ♯７のＮｏ）、フローは、ステップ♯５に戻る。一方、第３のＩＰファクシミリ装置２０３からの通信開始要求を受信したとき（ステップ♯７のＹｅｓ）、通信部１１（通信制御部１１０）は、第２のＩＰファクシミリ装置２０２からのリダイヤルの受信前に通信を完了できるか否かを判定する（ステップ♯８）
【００９０】
完了できると判定したとき（ステップ♯８のＹｅｓ）、通信部１１は、第３のＩＰファクシミリ装置２０３とのセッションを確立し、第２のＩＰファクシミリ装置２０２からの画像データを受信する（ステップ♯９）。そして、通信部１１は、第３のＩＰファクシミリ装置２０３とのファクシミリ通信を完了する（ステップ♯１０）。
【００９１】
一方、完了できないと判定したとき（ステップ♯８のＮｏ）、通信部１１は、第３のＩＰファクシミリ装置２０３に、再送信時間Ｔ１をＲｅｔｒｙ−ａｆｔｅｒヘッダフィールドに付して、通信不可通知を送信する（ステップ♯１１）。そして、フローはステップ♯５に戻る。
【００９２】
このようにして、本実施形態の通信装置１は、ネットワーク（ＩＰネットワーク３００）を介してデータの通信を行い、第１の通信装置（第１のＩＰファクシミリ装置２０１）とデータの通信中に第２の通信装置（第２のＩＰファクシミリ装置２０２）からの通信開始要求（ＩＮＶＩＴＥリクエスト）を受けたとき、通信不可通知（Ｂｕｓｙ  Ｈｅｒｅレスポンス）とともに第２の通信装置が再度の通信開始要求を行うまでの時間を指示するための再送信時間Ｔ１を第２の通信装置に送信し、第１の通信装置とのデータの通信が完了した後、再送信時間Ｔ１に基づく第２の通信装置からの再度の通信開始要求を受信する前に、第３の通信装置（第３のＩＰファクシミリ装置２０３）からの通信開始要求を受信したとき、第３の通信装置からのデータの受信を開始せず、第２の通信装置とのデータの通信を優先させる通信部１１を含む。
【００９３】
これにより、第２の通信装置（第２のＩＰファクシミリ装置２０２）とのデータ通信は、１回目の再送信時間Ｔ１に基づく再度の通信開始要求（ＩＮＶＩＴＥリクエスト）（リダイヤル）の受信に伴い完了される。そのため、第２の通信装置のリダイヤルの回数は１回ですみ、第２の通信装置のリダイヤルの繰り返しが無くなる。従って、無駄なリダイヤルの繰り返しが無くなり、データの通信の効率を高めることができる。上限回数のリダイヤルを行ったことによる通信エラーにより、第２の通信装置からのデータの未受信の問題も生じない。
【００９４】
また、本実施形態の通信装置１は、ネットワーク（ＩＰネットワーク３００）を介してデータの通信を行い、第１の通信装置（第１のＩＰファクシミリ装置２０１）とデータの通信中に第２の通信装置（第２のＩＰファクシミリ装置２０２）からの通信開始要求（ＩＮＶＩＴＥリクエスト）を受けたとき、通信不可通知（Ｂｕｓｙ  Ｈｅｒｅレスポンス）とともに第２の通信装置が再度の通信開始要求を行うまでの時間を指示するための再送信時間Ｔ１を第２の通信装置に送信し、第１の通信装置とのデータの通信が完了した後、再送信時間Ｔ１に基づく第２の通信装置からの再度の通信開始要求を受信する前に、第３の通信装置（第３のＩＰファクシミリ装置２０３）からの通信開始要求を受信したとき、第３の通信装置からのデータの受信を開始せず、第２の通信装置とのデータの通信を優先させる通信部１１と、第１の通信装置（第１のＩＰファクシミリ装置２０１）とのデータの通信が完了した後、再送信時間Ｔ１に基づく第２の通信装置（第２のＩＰファクシミリ装置２０２）からの再度の通信開始要求（ＩＮＶＩＴＥリクエスト）を受信する前に、第３の通信装置（第３のＩＰファクシミリ装置２０３）からの通信開始要求を受信したとき、第３の通信装置との通信が第２の通信装置からの再度の通信開始要求を受信するまでの間に完了するか否かを判定する判定部（通信制御部１１０）を含み、通信部１１は、完了すると判断したとき、第２の通信装置との通信の優先を例外的に解除して、第３の通信装置とのデータの通信を行い、完了できないと判断したとき、通信不可通知（Ｂｕｓｙ  Ｈｅｒｅレスポンス）とともに再送信時間Ｔ１を第３の通信装置に送信することとした。
【００９５】
これにより、第２の通信装置（第２のＩＰファクシミリ装置２０２）からの再度の通信開始要求（ＩＮＶＩＴＥリクエスト、リダイヤル）の前に受信完了できるような通信時間が短いデータの受信が許可される。従って、効率良くデータを受信することができ、通信許可待ちの通信装置１を減らすことができる。
【００９６】
特定の相手からのデータ受信では、受信するデータのサイズが突発的に大きくなることは少なく、むしろ、定型的な文書データがやりとりされるなど、毎回、受信するデータのサイズはほぼ一定の範囲に収まることが多い。そこで、本実施形態の通信装置１は、通信開始要求（ＩＮＶＩＴＥリクエスト）を受信してからデータの受信を完了するまでの通信所要時間Ｔ２を履歴データＤ０として記憶する通信記憶部１１１を含み、判定部（通信制御部１１０）は、通信記憶部１１１に記憶された履歴データＤ０のうち、第３の通信装置（第３のＩＰファクシミリ装置２０３）の通信所要時間Ｔ２に基づき、第３の通信装置との通信が第２の通信装置（第２のＩＰファクシミリ装置２０２）からの再度の通信開始要求を受信するまでの間に完了するか否かを判定する。
【００９７】
これにより、過去の通信の履歴（経験、実績）に基づき、第３の通信装置との通信が第２の通信装置（第２のＩＰファクシミリ装置２０２）からの再度の通信開始要求（ＩＮＶＩＴＥリクエスト）（リダイヤル）までの間に完了するか否かを正確に判断することができる。従って、リダイヤルに基づく第２の通信装置との通信を第３の通信装置が妨げない。そして、第２の通信装置に再度、話し中による通信不可の通知を送信することがない。そのため、第２の通信装置によるリダイヤルの繰り返しを防ぐことができる。
【００９８】
また、通信部１１が第３の通信装置（第３のＩＰファクシミリ装置２０３）から、第３の通信装置が送信しようとするデータのサイズを示す情報であるサイズ情報を受信したとき、判定部（通信制御部１１０）は、第３の通信装置からの通信開始要求（ＩＮＶＩＴＥリクエスト）の受信から第３の通信装置からのデータの受信完了に要する時間（転送所要時間Ｔ３）を演算により求め、求めた時間に基づき、第３の通信装置との通信が第２の通信装置（第２のＩＰファクシミリ装置２０２）からの再度の通信開始要求を受信するまでの間に完了するか否かを判定する。
【００９９】
これにより、通信されるデータの実際のサイズに基づき、第３の通信装置（第３のＩＰファクシミリ装置２０３）との通信が第２の通信装置（第２のＩＰファクシミリ装置２０２）からの再度の通信開始要求（ＩＮＶＩＴＥリクエスト）（リダイヤル）までの間に完了するか否かを正確に判断することができる。従って、リダイヤルに基づく第２の通信装置との通信を第３の通信装置が妨げない。そして、第２の通信装置に再度、話し中による通信不可の通知を送信することがない。そのため、第２の通信装置によるリダイヤルの繰り返しを防ぐことができる。
【０１００】
また、通信部１１は、第１、第２、第３の通信装置と、ＩＰネットワーク３００（ＩＰネットワーク３００）を用いて通信を行い、第１、第２、第３の通信装置は、ＩＰファクシミリ装置であり、通信されるデータは、ファクシミリ通信で送受信されるファクシミリデータは、画像データである。
【０１０１】
これにより、ＩＰファクシミリ装置間の画像データの送受信において、ＩＰファクシミリ装置は、リダイヤルを繰り返すことがなく、効率良く、滑らかに画像データのやりとりを行うことができる。
【０１０２】
本実施形態の画像形成装置（複合機１００）は、上述した通信装置１を含む。この構成により、リダイヤルが繰り返されないように、高い効率でデータの通信が行われる画像形成装置（複合機１００）を提供することができる。
【０１０３】
本発明の実施形態を説明したが、本発明の範囲はこれに限定されるものではなく、発明の主旨を逸脱しない範囲で種々の変更を加えて実施することができる。
【産業上の利用可能性】
【０１０４】
本発明はファクシミリ装置のような通信装置１や、通信装置１を含む画像形成装置に利用可能である。
【符号の説明】
【０１０５】
１００  複合機（画像形成装置）        １      通信装置
１１    通信部                        １１０  通信制御部（判定部）
１１１  通信記憶部                    ３００  ＩＰネットワーク（ネットワーク）
２０１  第１のＩＰファクシミリ装置（第１の通信装置）
２０２  第２のＩＰファクシミリ装置（第２の通信装置）
２０３  第３のＩＰファクシミリ装置（第３の通信装置）
Ｄ０    履歴データ                    Ｔ１    再送信時間
Ｔ２    通信所要時間                  Ｔ３    転送所要時間
【図２】
0005909469.tif 000002
【図３】
0005909469.tif 000003
【図４】
0005909469.tif 000004
【図５】
0005909469.tif 000005
【図６】
0005909469.tif 000006
【図７】
0005909469.tif 000007
【図８】
0005909469.tif 000008
【図１】
0005909469.tif 000009